(57)【要約】【課題】媒体の表裏面の画像を取得するのに要する時間の短縮を図るとともに、装置本体の小型化、およびコストダウンを図った媒体読取装置を提供する。【解決手段】表裏面の画像を読み取る媒体を媒体保持部材２１に保持させると、第１の反射体２２の反射面に、投影された媒体の表面または裏面の一方の画像が写り、第２の反射体２３の反射面に、投影された媒体の他方の面の画像が写る。また、第１の反射体２２、および第２の反射体２３の反射面は、画像読取部３に対向し、読取エリア内に位置する。画像読取部３が読取エリア内の画像を読み取ると、第１の反射体２２の反射面に投影されている媒体の表面または裏面の一方の画像、および第２の反射体２３の反射面に投影されている媒体の他方の面の画像が取得できる。【選択図】図８
2013239987.tif 000002
【特許請求の範囲】
【請求項１】
媒体を載置する載置板と、
前記載置板に対向する側に配置し、この載置板上に載置した媒体の画像を読み取る画像読取部と、を備えた媒体読取装置において、
前記画像読取部に対向する側に設けた媒体両面同時読取補助ユニットを備え、
前記媒体両面同時読取補助ユニットは、
媒体を、その媒体の表裏面を前記載置板と前記画像読取部とが対向する方向に保持する媒体保持部と、
前記媒体保持部が保持している媒体の一方の面に対向する反射面を有する第１の反射体と、
前記媒体保持部が保持している媒体の他方の面に対向する反射面を有する第２の反射体と、を備え、
前記第１の反射体の反射面と、第２の反射体の反射面とは、前記媒体保持部が保持している媒体を挟んで断面Ｖ字型に配置され、それぞれの反射面が前記画像読取部の読取エリア内に位置する、
媒体読取装置。
【請求項２】
前記第１の反射体、および前記第２の反射体は、その反射面が他方の反射体の反射面に対して接離する方向に回動自在に取り付けている、請求項１に記載の媒体読取装置。
【請求項３】
前記媒体両面同時読取補助ユニットは、前記載置板を挟んで前記画像読取部に対向する側に設け、
前記載置板は、前記媒体両面同時読取補助ユニットを覆った状態と、露出させた状態との間で開閉自在に取り付けている、請求項１、または２に記載の媒体読取装置。
【請求項４】
前記媒体両面同時読取補助ユニットは、前記載置板の前記画像読取部に対向する面に載置する、請求項１、または２に記載の媒体読取装置。
【請求項５】
前記媒体保持部が保持している媒体を、表面、または裏面の一方の側から照らす発光部を備えている、請求項１〜４のいずれかに記載の媒体読取装置。
【請求項６】
媒体を保持する媒体保持部と、
前記媒体保持部が保持している媒体の一方の面に対向する反射面を有する第１の反射体と、
前記媒体保持部が保持している媒体の他方の面に対向する反射面を有する第２の反射体と、を備え、
前記第１の反射体の反射面と、第２の反射体反射体の反射面とは、前記媒体保持部が保持している媒体を挟んで断面Ｖ字型に配置される、媒体両面同時読取補助ユニット。
【発明の詳細な説明】
【技術分野】
【０００１】
この発明は、媒体の表裏面の画像を読み取る媒体読取装置、および、この媒体読取装置に用いる媒体両面同時読取補助ユニットに関する。
【背景技術】
【０００２】
従来、媒体の画像を電子データで保存管理することが行われている。例えば、金融機関では、取引内容を記載した帳票や、口座開設者の本人確認に用いた利用者の運転免許証等の媒体の画像を電子データで保存管理している。
【０００３】
媒体の画像を電子データで保存管理するには、その媒体の画像を取得する必要がある。この媒体の画像を取得する装置としては、媒体を載置する台座に対向する側に、この台座に載置した媒体の画像を読み取るイメージセンサを配置したものがある（特許文献１等参照）。
【０００４】
また、搬送路に沿って搬送している媒体の画像をイメージセンサで読み取る構成のものもある（特許文献２等参照）。この特許文献２は、媒体（運転免許証）の表裏面（両面）の画像を読み取るために、媒体の搬送路を挟んだ両側に、搬送路に沿って搬送されている媒体の対向する面を反射するミラーを配置し、イメージセンサの読取エリアを選択的に２つのミラーの反射面の一方に切り替える構成である。この特許文献２は、媒体を搬送路に沿って往復搬送し、往路方向に搬送しているときに、イメージセンサの読取エリアを一方のミラーの反射面にあわせ、復路方向に搬送しているときに、イメージセンサの読取エリアを他方のミラーの反射面にあわせることで、媒体（運転免許証）の表裏面の画像を読み取っている。
【先行技術文献】
【特許文献】
【０００５】
【特許文献１】特開２０００‐２４４７０６号公報
【特許文献２】特開昭６２-２０９９６７号公報
【発明の概要】
【発明が解決しようとする課題】
【０００６】
しかしながら、特許文献１に記載された構成では、媒体の表裏面の画像を取得する場合、オペレータが、この媒体の一方の面をイメージセンサに対向させて台座に載置し、媒体の一方の面の画像をイメージセンサで読み取る操作を行う。そして、オペレータが、媒体の他方の面をイメージセンサに対向させて台座に載置しなおし、イメージセンサで媒体の他方の面の画像を読み取る操作を行う。したがって、媒体の表裏面の画像を取得する場合における、オペレータの操作が煩雑であるとともに、媒体の表裏面の画像を取得するのに要する時間が長いという問題があった。
【０００７】
また、特許文献２に記載された構成では、媒体の表裏面の画像を取得する場合であっても、オペレータは媒体を搬送路に挿入するだけでよいので、オペレータの操作は比較的簡単になるが、媒体を搬送路に沿って搬送する機構部や、イメージセンサの読取エリアを切り替える機構部等を備えなければならず、装置本体の大型化や、コストアップという問題がある。また、この特許文献２も、特許文献１と同様に、媒体の表面の画像の読み取りと、媒体の裏面の画像の読み取りと、を分けて行う構成であるので、媒体の表裏面の画像の取得に要する時間が長いという問題があった。
【０００８】
この発明の目的は、媒体の表裏面の画像を取得するのに要する時間の短縮を図るとともに、装置本体の小型化、およびコストダウンを図った媒体読取装置を提供することにある。
【０００９】
また、この発明は、この媒体読取装置に用いる媒体両面同時読取補助ユニットを提供することにある。
【課題を解決するための手段】
【００１０】
この発明の媒体読取装置は、上記課題を解決し、その目的を達するために以下のように構成している。
【００１１】
この媒体読取装置は、媒体を載置する載置板に対向する側に画像読取部を配置している。画像読取部は、載置板上に載置した媒体の画像を光学的に読み取る。媒体両面同時読取補助ユニットは、画像読取部に対向する側に設ける。
【００１２】
この媒体両面同時読取補助ユニットは、媒体保持部と、第１の反射体と、第２の反射体と、を備えている。媒体保持部は、その媒体の表裏面を載置板と画像読取部とが対向する方向に保持する。すなわち、媒体保持部は、媒体を、その表裏面が載置板と画像読取部とが対向する方向に対して略平行になるように保持する（媒体の厚さ方向と、載置板と画像読取部とが対向する方向と、が略直交するように保持する。）。第１の反射体は、媒体保持部が保持している媒体の一方の面に対向する反射面を有し、第２の反射体は、媒体保持部が保持している媒体の他方の面に対向する反射面を有している。第１の反射体の反射面と、第２の反射体の反射面とは、媒体保持部が保持している媒体を挟んで断面Ｖ字型に配置している。
【００１３】
したがって、画像読取部側から載置板を見ると、第１の反射体の反射面に写っている（投影されている。）媒体の一方の面、および、第２の反射体の反射面に写っている（投影されている。）媒体の他方の面が見える。また、第１の反射体および第２の反射体のそれぞれの反射面が画像読取部の読取エリア内に位置するので、画像読取部が読取エリア内を読み取った読取画像には、媒体保持部が保持している媒体の表面、および裏面の画像が含まれる。
【００１４】
このように、媒体の表面の画像の読み取りと、媒体の裏面の画像の読み取りと、を分けて行うことなく、同時に読み取りが行えるので、媒体の表裏面の画像を取得するのに要する時間の短縮が図れる。また、媒体を搬送する機構部等を備える必要もないので、装置本体の小型化、およびコストダウンが図れる。
【００１５】
また、第１の反射体、および第２の反射体は、その反射面が他方の反射体の反射面に対して接離する方向に回動自在に取り付けた構成としてもよい。言い換えれば、第１の反射体、および第２の反射体は、媒体保持部に保持されている媒体の表裏面に平行な軸に、回動自在に取り付けた構成としてもよい。
【００１６】
このように構成すれば、第１の反射体と、第２の反射体とを、これらの反射面が媒体保持部を挟んで一直線に並んだ状態に姿勢変更することができる。したがって、媒体両面同時読取補助ユニットを使用しないときに、媒体両面同時読取補助ユニット本体の形状や、大きさを、この媒体両面同時読取補助ユニットを収納する空間（収納空間）の形状や大きさに合わせることができる。また、この収納空間を、媒体読取装置本体に設ける場合には、その設計の自由度が高められる。
【００１７】
また、媒体両面同時読取補助ユニットは、載置板を挟んで画像読取部に対向する側に設けるとともに、この載置板が媒体両面同時読取補助ユニットを覆った状態と、露出させた状態との間で開閉自在に取り付けてもよい。
【００１８】
このように構成すれば、媒体の一方の面の画像を読み取るときには、媒体両面同時読取補助ユニットを覆った状態（閉状態）で媒体を載置板に載置し、媒体の表裏面の画像を読み取るときには、媒体両面同時読取補助ユニットを露出させた状態（開状態）で、媒体を媒体保持部に保持させればよい。
【００１９】
また、媒体両面同時読取補助ユニットは、媒体読取装置本体とは別体で構成し、使用時に載置板の画像読取部に対向する面に載置する構成としてもよい。
【００２０】
また、媒体保持部が保持している媒体を、表面、または裏面の一方の側から照らす発光部を備え、媒体の透かし画像も読み取れるように構成してもよい。
【発明の効果】
【００２１】
この発明によれば、媒体の表裏面の画像を取得するのに要する時間の短縮が図れる。また、媒体読取装置本体の小型化、およびコストダウンが図れる。
【図面の簡単な説明】
【００２２】
【図１】媒体読取装置の概略の外観図である。
【図２】媒体読取装置の主要部の構成を示すブロック図である。
【図３】媒体読取装置のベース筐体内部を示す概略の断面図である。
【図４】媒体読取装置のベース筐体内部を示す概略の断面図である。
【図５】媒体両面同時読取補助ユニットを画像読取部側から見た平面図である。
【図６】媒体読取装置のベース筐体内部に収納されている媒体両面同時読取補助ユニットの姿勢変更を示す概略の断面図である。
【図７】媒体の一方の面の画像の読み取りを説明する図である。
【図８】媒体の表裏面の画像の読み取りを説明する図である。
【図９】媒体の表裏面の画像の読み取りを説明する図である。
【図１０】別の例にかかる媒体両面同時読取補助ユニット外観を示す概略図である。
【図１１】別の例にかかる媒体の表裏面の画像の読み取りを説明する図である。
【図１２】別の例にかかる媒体両面同時読取補助ユニット外観を示す概略図である。
【発明を実施するための形態】
【００２３】
以下、この発明の実施形態である媒体読取装置について説明する。
【００２４】
図１は、この発明の実施形態である媒体読取装置の概略の外観図である。図２は、この媒体読取装置の主要部の構成を示すブロック図である。
【００２５】
媒体読取装置１は、制御部２と、画像読取部３と、入出力部４と、を備えている。
【００２６】
この媒体読取装置１は、図１に示すように、一般にスタンド型と呼ばれるものである。制御部２は、媒体読取装置１本体各部の動作を制御する。画像読取部３は、アーム１１の一方の端部（上端部）に取り付けている。アーム１１の他方の端部（下端部）は、ベース筐体１２に取り付けている。
【００２７】
画像読取部３は、画像読取エリア内の画像を読み取る。画像読取エリアは、図１においてハッチングで示す領域であり、対向する載置板１３側に設定している。画像読取部３は、光学素子をマトリクス状に配置した撮像素子（不図示）、およびこの撮像素子上に載置板１３側の画像を結像する撮像レンズ（不図示）等を有し、載置板１３側に設定した画像読取エリア内の画像を読み取る（撮像する）構成である。
【００２８】
なお、画像読取部３は、光学素子をライン状に配列したラインセンサを有し、画像の読取位置を、このラインセンサの光学素子の配列方向（主走査方向）に対して垂直な方向（副走査方向）に走査して載置板１３側の画像を読み取る（撮像する）構成であってもよい。
【００２９】
入出力部４は、図示していない情報処理装置（パーソナルコンピュータ等）との間におけるデータの入出力を行う。情報処理装置との間で入出力されるデータには、画像読取部３による画像の読取指示にかかるデータや、画像読取部３が読み取った読取画像にかかるデータ等がある。
【００３０】
オペレータは、情報処理装置を操作して、媒体読取装置１に画像読取エリア内の画像（媒体の画像）の読み取り（取得）を行わせる。また、媒体読取装置１は、読み取った画像読取エリア内の画像を情報処理装置に入力する。情報処理装置は、入力された画像（媒体読取装置１が読み取った画像）を、接続されている表示器に表示する処理や、画像データをハードディスク等の記憶媒体に記録する処理等を行う。
【００３１】
図３、および図４は、媒体読取装置のベース筐体内部を示す概略の断面図である。ベース筐体１２は、この発明の実施形態にかかる媒体両面同時読取補助ユニット２０を、アーム１１の上端部に取り付けた画像読取部３に対向する面側に取り付けた載置板１３の下側（ベース筐体１２の内部）に収納している。すなわち、ベース筐体１２は、媒体両面同時読取補助ユニット２０の収納空間を有している。
【００３２】
載置板１３は、図３に示すように、媒体両面同時読取補助ユニット２０を覆った閉状態（図１や図３に示す状態）と、媒体両面同時読取補助ユニット２０を露出させた開状態と、の間で開閉自在に取り付けている。ここでは、載置板１３は、ベース筐体１２に対してスライドする構成を例示しているが、開閉できる構成であれば、ベース筐体１２に対して着脱する構成であってもよいし、一辺を軸にして回動する構成であってもよいし、その他の構成であってもよい。また、載置板１３は、ベース筐体１２に対してスライドする方向も図３、図４で示す方向に限らず、どのような方向（例えば、図３、図４で示す方向に対して垂直な方向）であってもよい。
【００３３】
次に、ベース筐体１２に収納している媒体両面同時読取補助ユニット２０について説明する。図５は、媒体両面同時読取補助ユニットを画像読取部側から見た平面図である。媒体両面同時読取補助ユニット２０は、媒体保持部材２１と、第１の反射体２２と、第２の反射体２３と、を有する。媒体保持部材２１は、運転免許証等の媒体を厚さ方向に挟持して保持する。媒体保持部材２１が保持する媒体の表裏面は、載置板１３と画像読取部３とが対向する方向に対して、略平行である。言い換えれば、媒体保持部材２１が保持する媒体の厚さ方向は、載置板１３と画像読取部３とが対向する方向に対して、略直交する。
【００３４】
ここでは、媒体保持部材２１は、媒体の隣接する２つの角部を保持する例を示しているが、この隣接する２つの角部間の一辺の中央部を保持する構成であってもよいし、その他の構成であってもよい。
【００３５】
また、第１の反射体２２、および第２の反射体２３は、媒体保持部材２１を挟んだ両側にそれぞれ配置している。第１の反射体２２は、軸２２ａに回動自在に取り付けており、第２の反射体２３は、軸２３ａに回動自在に取り付けている。軸２２ａ、２３ａは、媒体保持部材２１によって保持されて媒体の表裏面に略平行であり、且つ、載置板１３と画像読取部３とが対向する方向に対して略垂直である。
【００３６】
また、第１の反射体２２は、軸２２ａを中心にして、第２の反射体２３に対して接離する方向に回動自在に取り付けている。第２の反射体２３は、軸２３ａを中心にして、第１の反射体２２に対して接離する方向に回動自在に取り付けている。第１の反射体２２、および第２の反射体２３は、それぞれ媒体保持部材２１を挟んで対向する側の面に反射面（鏡面）を形成している。
【００３７】
第１の反射体２２、および第２の反射体２３は、反射面と反対面がベース筐体１２の収納空間の底面に当接する。媒体読取装置１は、第１の反射体２２、および第２の反射体２３の反射面と反対面をベース筐体１２の収納空間の底面に当接させた状態で、載置板１３が媒体両面同時読取補助ユニット２０を覆った状態にできる。言い換えれば、媒体読取装置１は、第１の反射体２２、および第２の反射体２３の反射面と反対面をベース筐体１２の収納空間の底面に当接させた状態で、媒体両面同時読取補助ユニット２０をベース筐体１２の収納空間に収納する。このとき、第１の反射体２２と、第２の反射体２３とは、一直線に並んだ状態になるので、媒体両面同時読取補助ユニット２０を収納するのに必要なベース筐体１２の収納空間の深さが抑えられる。
【００３８】
また、第１の反射体２２、および第２の反射体２３は、回動させたときに、図６に示すように、反射面とベース筐体１２の収納空間の底面とのなす角度αが所定の角度（例えば、４５°）になったときに、図示していない嵌合部材により、この角度αで保持される。このとき、第１の反射体２２、および第２の反射体２３の反射面は、媒体保持部材２１を挟んで、軸２２ａ、２３ａに対して垂直な方向（載置板１３と画像読取部３とが対向する方向）の断面がＶ字型である。
【００３９】
嵌合部材は、例えば軸２２ａ、２３ａのそれぞれに設けた第１嵌合部材と、第１の反射体２２、第２の反射体２３のそれぞれに設けた第２嵌合部材とで構成される。第１嵌合部材、第２嵌合部材の一方には、球面形状の凸部が形成され、他方には、この凸部が嵌まる球面形状の凹部が形成されている。第１の反射体２２、および第２の反射体２３は、回動させて、反射面とベース筐体１２の収納空間の底面とのなす角度が所定の角度αに達しときに、第１嵌合部材、第２嵌合部材の一方に形成した球面形状の凸部が、他方に形成した球面形状の凹部に嵌まって嵌合する。また、凸部、および凹部を球面形状にしているので、嵌合状態を簡単に解除できる。したがって、媒体両面同時読取補助ユニット２０は、図３や図４に示した状態と、図６に示した状態と、の間における姿勢変更が簡単に行える。
【００４０】
次に、この媒体読取装置１による、媒体の画像の読み取りについて説明する。
【００４１】
まず、媒体の一方の面の画像を読み取る場合について説明する。媒体読取装置１は、載置板１３が媒体両面同時読取補助ユニット２０を覆った状態（図１や図３に示す状態）にしている。
【００４２】
オペレータは、図７に示すように、画像を読み取る媒体（例えば、帳票）を載置板１３に載置する。媒体は、画像の読取面を、画像読取部３に対向させて載置板１３に載置する。オペレータは、この状態で、図示していない情報処理装置を操作し、媒体読取装置１に対して画像の読取指示を入力する。
【００４３】
媒体読取装置１は、情報処理装置から入力された画像の読取指示に応じて、画像読取部３が読取エリア内の画像の読み取りを行う。画像読取部３が読み取った画像には、載置板１３に載置した帳票の画像（帳票における画像読取部３に対向する面の画像）が含まれている。媒体読取装置１は、読み取った画像にかかる画像データを入出力部４から情報処理装置に出力する。情報処理装置は、入力された画像（媒体読取装置１が読み取った画像）を、接続されている表示器に表示する処理や、画像データをハードディスク等の記憶媒体に記録する処理等を行う。
【００４４】
このように、媒体読取装置１は、載置板１３に載置した媒体の一方の面の画像を読み取ることができる。
【００４５】
次に、媒体の表裏面の画像を読み取る場合について説明する。オペレータは、媒体読取装置１を載置板１３が媒体両面同時読取補助ユニット２０を露出させた状態（図４に示す状態）にし、さらに、第１の反射体２２、第２の反射体２３を回動させて、第１の反射体２２、および第２の反射体２３の反射面が、ベース筐体１２の収納空間の底面とのなす角度が所定の角度αで保持された状態（図６に示す状態）にする。
【００４６】
オペレータは、表裏面の画像を読み取る媒体（例えば、運転免許証）を媒体保持部材２１に保持させる（図８参照）。これにより、第１の反射体２２の反射面に、投影された運転免許証の表面または裏面の一方の画像が写り、第２の反射体２３の反射面に、投影された運転免許証の他方の面の画像が写る（図９参照）。また、第１の反射体２２、および第２の反射体２３の反射面は、画像読取部３に対向し、読取エリア内に位置する。オペレータは、この状態で、図示していない情報処理装置を操作し、媒体読取装置１に対して画像の読取指示を入力する。
【００４７】
媒体読取装置１は、画像読取部３が読取エリア内の画像を読み取る。このとき、画像読取部３が読み取った画像には、第１の反射体２２の反射面に投影されている運転免許証の表面または裏面の一方の画像、および第２の反射体２３の反射面に投影されている運転免許証の他方の面の画像が含まれている。すなわち、媒体読取装置１は、画像読取部３が読取エリアに対する画像の読み取りを一度行うことで、運転免許証等の媒体の表裏面の画像を同時に読み取ることができる。媒体読取装置１は、読み取った画像にかかる画像データを入出力部４から情報処理装置に出力する。情報処理装置は、入力された画像（媒体読取装置１が読み取った画像）を、接続されている表示器に表示する処理や、画像データをハードディスク等の記憶媒体に記録する処理等を行う。
【００４８】
このように、媒体読取装置１は、画像読取部３が読取エリアに対する画像の読み取りを一度行うことで、媒体の表裏面の画像が読み取れるので、オペレータの作業負担を低減することができるとともに、媒体の表裏面の画像を取得するのに要する時間の短縮が図れる。また、媒体読取装置１は、画像を読み取る媒体を搬送するための搬送機構等を備える必要がなく、装置本体の小型化、およびコストダウンが図れる。
【００４９】
次に、この発明の別の実施形態について説明する。上記の例では、媒体両面同時読取補助ユニット２０を媒体読取装置１本体に一体化した構成を例にしたが、この例では、この媒体両面同時読取補助ユニット２０を媒体読取装置１本体と別体化した構成について説明する。
【００５０】
この例にかかる媒体読取装置１は、上記の例と異なり、媒体両面同時読取補助ユニット２０をベース筐体１２の内部に収納していない。また、載置板１３は、ベース筐体１２に固定しており、上述した開閉自在の構成ではない。
【００５１】
図１０は、この例にかかる媒体両面同時読取補助ユニット外観を示す概略図である。この例にかかる媒体両面同時読取補助ユニットは、断面Ｖ字型の溝を形成したブロック２５に、上述した媒体保持部材２１、第１の反射体２２、および第２の反射体２３を取り付けた構成である。このブロック２５に形成している断面Ｖ字型の溝の傾斜面は、上記の例で説明した所定の角度α（例えば、４５°）に形成している。したがって、この媒体両面同時読取補助ユニット２０も、媒体保持部材２１に運転免許証等の媒体を保持させると、図９に示したように、第１の反射体２２の反射面に、投影された運転免許証の表面または裏面の一方の画像が写り、第２の反射体２３の反射面に、投影された運転免許証の他方の面の画像が写る。
【００５２】
この媒体両面同時読取補助ユニット２０を図１１に示すように載置板１３上に載置する。この状態で、媒体読取装置１は、画像読取部３が読取エリアに対する画像の読み取りを一度行うことで、上記の例と同様に、媒体保持部材２１に保持させた媒体の表裏面の画像を読み取ることができる。
【００５３】
なお、上記のように媒体両面同時読取補助ユニット２０を媒体読取装置１本体と別体化して構成する場合には、オペレータが、この媒体両面同時読取補助ユニット２０を載置板１３上に載置するときに、その位置合せが簡単に行えるよう、載置板１３にマーキングを施したり、位置合わせ部材を取り付けたりしておくのが好ましい。
【００５４】
また、媒体両面同時読取補助ユニット２０は、媒体読取装置１本体と別体化とした構成する場合、上述した断面Ｖ字型の溝を形成したブロック２５を用いずに、図４〜図６等で示したように、平板上に設けた媒体保持部材２１を挟んだ両側に、第１の反射体２２、および第２の反射体２３を回動自在に取り付けた構成としてもよい。
【００５５】
さらに、図１２に示すように、第１の反射体２２側（または第２の反射体２３側）の一方に発光素子３０を配置し、この発光素子３０を配置していない反対側の第２の反射体２３（または第１の反射体２２）の反射面に、媒体保持部材２１が保持している媒体の透かし模様が投影されるようにしてもよい。このように構成すれば、媒体の透かしにかかる画像の読み取るも行える。
【符号の説明】
【００５６】
１…媒体読取装置
２…制御部
３…画像読取部
４…入出力部
１１…アーム
１２…ベース筐体
１３…載置板
２０…媒体両面同時読取補助ユニット
２１…媒体保持部材
２２、２３…反射体
２２ａ、２３ａ…軸
２５…ブロック
３０…発光素子
【図１】
2013239987.tif 000003
【図２】
2013239987.tif 000004
【図３】
2013239987.tif 000005
【図４】
2013239987.tif 000006
【図５】
2013239987.tif 000007
【図６】
2013239987.tif 000008
【図７】
2013239987.tif 000009
【図８】
2013239987.tif 000010
【図９】
2013239987.tif 000011
【図１０】
2013239987.tif 000012
【図１１】
2013239987.tif 000013
【図１２】
2013239987.tif 000014